(57)【特許請求の範囲】
【請求項１】
使用中に着用者の方を向くように適合された液体浸透性の表層と、
前記表層と反対側の裏層と、
前記表層と前記裏層との間に位置する吸収性部材と、
第1のパネル領域と、
第2のパネル領域と
電子ユニットと、
電力源と、
前記電子ユニットを前記電力源に動作可能に連結するスイッチであって、前記スイッチがオン状態にあるときに前記電力源が電力を前記電子ユニットに供給するように構成され、かつ、前記スイッチがオフ状態にあるときに前記電力源が電力を前記電子ユニットに供給しないように構成され、前記スイッチは、前記第2のパネル領域に対する前記第1のパネル領域の移動により前記スイッチが前記オフ状態から前記オン状態へと切り替わるようにさらに構成されたスイッチと
を備え、
前記電力源と、前記スイッチと、前記電子ユニットの少なくとも一部分とが前記表層と前記裏層との間に配置される、着用可能吸収衛生物品。
【請求項２】
着用可能吸収衛生物品であって、
使用中に着用者の方を向くように適合された液体浸透性の表層と、
前記表層と反対側の裏層と、
前記表層と前記裏層との間に位置する吸収性部材と、
電子ユニットと、
電力源と、
前記電子ユニットを前記電力源に動作可能に連結するスイッチであって、前記スイッチがオン状態にあるときに前記電力源が電力を前記電子ユニットに供給するように構成され、かつ、前記スイッチがオフ状態にあるときに前記電力源が電力を前記電子ユニットに供給しないように構成され、前記スイッチは、前記着用可能吸収衛生物品によって認識された少なくとも1つの物理的特性の変化を検出すると、前記オフ状態から前記オン状態へと切り替えられるようにさらに構成され、前記少なくとも1つの物理的特性は、温度、大気圧、応力および静電容量のうちの少なくとも1つを含む、スイッチと
を備え、
前記電力源と、前記スイッチと、前記電子ユニットの少なくとも一部分とが前記表層と前記裏層との間に配置され、
前記着用可能吸収衛生物品は、前記少なくとも1つの物理的特性が、前記着用可能吸収衛生物品の開梱、展開、適用のうちの少なくとも１つの間に変化するように構成されている、着用可能吸収衛生物品。
【請求項３】
着用可能吸収衛生物品であって、
使用中に着用者の方を向くように適合された液体浸透性の表層と、
前記表層と反対側の裏層と、
前記表層と前記裏層との間に位置する吸収性部材と、
電子ユニットと、
電力源と、
前記電子ユニットを前記電力源に動作可能に連結するスイッチであって、前記スイッチがオン状態にあるときに前記電力源が電力を前記電子ユニットに供給するように構成され、かつ、前記スイッチがオフ状態にあるときに前記電力源が電力を前記電子ユニットに供給しないように構成され、前記スイッチは、前記着用可能吸収衛生物品とは異なる実体部材に解放可能に連結されるように構成され、かつ、前記スイッチを前記実体部材から切り離すことにより前記スイッチが前記オフ状態から前記オン状態へと切り替わるように構成されたスイッチと
を備え、
前記電力源と、前記スイッチと、前記電子ユニットの少なくとも一部分とが前記表層と前記裏層との間に配置される、着用可能吸収衛生物品。
【請求項４】
前記電子ユニットは、前記着用可能吸収衛生物品に存在する物理的環境を感知するための少なくとも1つのセンサを備え、前記少なくとも1つのセンサは、湿り気センサ、温度センサ、化学センサおよび生物学的センサのうちの少なくとも1つである、請求項1から3のいずれか一項に記載の着用可能吸収衛生物品。
【請求項５】
前記着用可能吸収衛生物品は、前記第1のパネル領域と前記第2のパネル領域とが少なくとも部分的に重なるように前記着用可能吸収衛生物品が折り畳まれる折り畳み構成にあり、且つ／又は、
前記着用可能吸収衛生物品は第1の方向に細長い主要部分を備え、前記第1のパネル領域は前記主要部分の1つの領域であり、前記第2のパネル領域は前記主要部分の別の領域であり、且つ／又は、
前記着用可能吸収衛生物品は、前記第1のパネル領域と前記第2のパネル領域とが前記着用可能吸収衛生物品の拡張構成時と比べてより互いに近接するように前記主要部分が収縮される収縮構成にあり、且つ／又は、
前記第1のパネル領域と前記第2のパネル領域とは互いに解放可能に取付可能である、請求項１に記載の着用可能吸収衛生物品。
【請求項６】
前記スイッチは、前記第1のパネル領域と前記第2のパネル領域とを互いに取り付けることにより前記スイッチが前記オフ状態から前記オン状態へと切り替わるように構成される、請求項５に記載の着用可能吸収衛生物品。
【請求項７】
前記電力源が、前記少なくとも1つの物理的特性の変化を検出すると前記オフ状態から前記オン状態へと自動的に切り替わるように構成されるように、前記電力源が前記スイッチを構成する、請求項２に記載の着用可能吸収衛生物品。
【請求項８】
前記スイッチは、前記実体部材に対する前記着用可能吸収衛生物品の移動により前記スイッチが前記オフ状態から前記オン状態へと切り替わるように構成される、請求項３に記載の着用可能吸収衛生物品。
【請求項９】
請求項３又は８に記載の前記着用可能吸収衛生物品と、
前記実体部材と
を備えるシステム。
【請求項１０】
前記実体部材は、前記着用可能吸収衛生物品を包装するための包装であるか、又は、
前記実体部材は、着用可能吸収衛生物品、若しくは、請求項３又は８に記載の前記着用可能吸収衛生物品である、請求項９に記載のシステム。
【請求項１１】
着用可能吸収衛生物品を使用する方法であって、
前記着用可能吸収衛生物品は、液体浸透性の表層と、裏層と、前記表層と前記裏層との間に位置する吸収性部材と、電子ユニットと、電力源と、前記電子ユニットを前記電力源に動作可能に連結するスイッチであって、前記スイッチがオン状態にあるときに前記電力源が電力を前記電子ユニットに供給するように構成され、かつ、前記スイッチがオフ状態にあるときに前記電力源が電力を前記電子ユニットに供給しないように構成されたスイッチとを備え、前記電力源と、前記スイッチと、前記電子ユニットの少なくとも一部分とが前記表層と前記裏層との間に配置され、
前記方法は、前記着用可能吸収衛生物品を使用するステップを含み、前記使用するステップにおいて、前記スイッチは前記オフ状態から前記オン状態へと切り替えられ、
前記着用可能吸収衛生物品は第1のパネル領域と第2のパネル領域とを備え、前記使用するステップにおいて、前記スイッチは、前記第1のパネル領域と前記第2のパネル領域との間の相対移動に起因して、前記オフ状態から前記オン状態へと切り替えられる、方法。
【請求項１２】
着用可能吸収衛生物品を使用する方法であって、
前記着用可能吸収衛生物品は、液体浸透性の表層と、裏層と、前記表層と前記裏層との間に位置する吸収性部材と、電子ユニットと、電力源と、前記電子ユニットを前記電力源に動作可能に連結するスイッチであって、前記スイッチがオン状態にあるときに前記電力源が電力を前記電子ユニットに供給するように構成され、かつ、前記スイッチがオフ状態にあるときに前記電力源が電力を前記電子ユニットに供給しないように構成されたスイッチとを備え、前記電力源と、前記スイッチと、前記電子ユニットの少なくとも一部分とが前記表層と前記裏層との間に配置され、
前記方法は、前記着用可能吸収衛生物品を使用するステップを含み、前記使用するステップにおいて、前記スイッチは前記オフ状態から前記オン状態へと切り替えられ、
前記使用するステップにおいて、前記スイッチは、前記着用可能吸収衛生物品によって認識された少なくとも1つの物理的特性の変化を検出すると、前記オフ状態から前記オン状態へと切り替えられるように構成され、前記少なくとも1つの物理的特性は、温度、大気圧、応力および静電容量のうちの少なくとも1つを含み、
前記着用可能吸収衛生物品は、前記少なくとも1つの物理的特性が、前記着用可能吸収衛生物品の開梱、展開、適用のうちの少なくとも１つの間に変化するように構成されている、方法。
【請求項１３】
着用可能吸収衛生物品を使用する方法であって、
前記着用可能吸収衛生物品は、液体浸透性の表層と、裏層と、前記表層と前記裏層との間に位置する吸収性部材と、電子ユニットと、電力源と、前記電子ユニットを前記電力源に動作可能に連結するスイッチであって、前記スイッチがオン状態にあるときに前記電力源が電力を前記電子ユニットに供給するように構成され、かつ、前記スイッチがオフ状態にあるときに前記電力源が電力を前記電子ユニットに供給しないように構成されたスイッチとを備え、前記電力源と、前記スイッチと、前記電子ユニットの少なくとも一部分とが前記表層と前記裏層との間に配置され、
前記方法は、前記着用可能吸収衛生物品を使用するステップを含み、前記使用するステップにおいて、前記スイッチは前記オフ状態から前記オン状態へと切り替えられ、
前記スイッチは、前記着用可能吸収衛生物品とは異なる実体部材に解放可能に連結されており、かつ、前記スイッチを前記実体部材から切り離すことにより前記スイッチが前記オフ状態から前記オン状態へと切り替わるようにさらに構成されており、前記使用するステップにおいて、前記スイッチは前記スイッチが前記オフ状態から前記オン状態へと切り
替わるように前記実体部材から切り離される、方法。
【発明の詳細な説明】
【技術分野】
【０００１】
本発明は、着用可能吸収衛生物品に関し、詳細には、電子ユニット、電力源、およびスイッチを備える着用可能吸収衛生物品に関する。本発明は、着用可能吸収衛生物品を使用する方法にも関する。
【背景技術】
【０００２】
通例、着用可能吸収衛生物品の条件を監視するためには、別体の外部の取付可能な記録ユニットが使用され得る。例示的な記録ユニットは、電子ユニットと、セルなどの電力源とを含み得る。電子ユニットは、湿り気など、着用可能吸収衛生物品の状態を監視し、任意選択で送信するセンサを含み得る。このような電子ユニットは、湿り気センサ、および/または送信機、および/または受信機を含み得る。電子ユニットは電力源によって電力を供給され得る。典型的には、着用可能吸収衛生物品は、記録ユニットとは別に販売および包装され、そのため、使用者は、着用可能吸収衛生物品を使用する前に、記録ユニットを着用可能吸収衛生物品に取り付けなければならない。記録ユニットは、典型的には、着用可能吸収衛生物品の外側面に取付可能である。さらに、記録ユニットは、かなりの大きさのものであり得る。
【０００３】
しかしながら、このようなシステムでは、システムの使用は典型的には、従来の着用可能吸収衛生物品を使用するために必要とされるステップに加えて、追加の複雑なステップを含む。
【０００４】
上記のことに鑑みて、使用するのが便利な電子的能力を伴う着用可能吸収衛生物品に対する要求がある。着用可能吸収衛生物品を使用する向上した方法に対する要求もある。
【発明の概要】
【発明が解決しようとする課題】
【０００５】
したがって、使用するのが便利な電子的能力を伴う着用可能吸収衛生物品を提供することが、本発明の目的である。着用可能吸収衛生物品を使用する方法を提供することも、本発明の目的である。
【課題を解決するための手段】
【０００６】
これらの目的は、請求項1の技術的特徴を伴う物品と、請求項24の技術的特徴を伴うシステムと、請求項28の方法とによって達成される。
【０００７】
好ましい実施形態が従属請求項に列挙される。
【０００８】
第1の態様によれば、着用可能吸収衛生物品が提供される。着用可能吸収衛生物品は、液体浸透性の表層と、裏層と、吸収性部材と、電子ユニットと、電力源と、スイッチとを備える。液体浸透性の表層は、使用中に着用者の方を向くように適合される。裏層は表層の反対にある。吸収性部材は表層と裏層との間に位置する。スイッチは電子ユニットを電力源に動作可能に連結する。スイッチは、スイッチがオン状態にあるときに電力源が電力を電子ユニットに供給するように構成され、かつ、スイッチがオフ状態にあるときに電力源が電力を電子ユニットに供給しないように構成される。電力源と、スイッチと、電子ユニットの少なくとも一部分とが表層と裏層との間に配置される。
【０００９】
この開示を通じて、「着用可能吸収衛生物品」という用語は、使用者によって着用され、使用者によって出される特定の物質を吸収できる任意の物品として解釈されるものである。着用可能吸収衛生物品には、パンツ型おむつ、繰り返し留め付け可能なおむつ、再使用可能なおむつ、および他の種類のおむつがある。
【００１０】
液体浸透性の表層は、尿または他の体液などの流体を通過させるように適合され得る。裏層は、流体が通過するのを防止するように適合された液体不浸透性の裏層であり得る。
【００１１】
「電子ユニット」という用語は、電子構成部品を含み、その意図される機能を実施するために電力を必要とする任意のユニットのことを言う。
【００１２】
「電力源」という用語は、ある期間にわたってエネルギーを蓄えることができる任意の装置のことを言う。電力源は電力を供給できる。
【００１３】
スイッチがオン状態にあるとき、電子ユニットがその意図された機能を実施できるように、電力源は電力を電子ユニットに供給する。スイッチがオフ状態にあるとき、電子ユニットがその意図された機能を実施できないように、電力源は電力を電子ユニットに供給しない。スイッチがオフ状態にあるとき、電力源はその蓄えられたエネルギーをほとんど維持する。
【００１４】
任意のセンサ、そのようなセンサの部品、または、センサを電子ユニットの他の構成部品に接続する構成部品は、表層の着用者の方を向く側、または、裏層の外側の表面など、吸収物品の外側表面に配置され得ることが想定されている。例えば、ガスセンサなどの化学センサは、糞便の排出の事象の指示を提供するために裏層の外側表面に設けられてもよく、尿の中のバクテリアの存在を検出するためなど、生物学的センサは、表層の着用者の方を向く側に位置決めされてもよく、このようなセンサを電子ユニットの他の構成部品に接続する導電リード線が表層と裏層との間に配置され得る。また、湿り気センサが表層と裏層との間に配置されてもよく、このようなセンサを電子ユニットの他の構成部品に接続する導電リード線が裏層の外側表面に配置され得る。完全な電子ユニットが表層と裏層との間に配置されることも想定されている。
【００１５】
表層および裏層は、着用可能吸収衛生物品の唯一の層でなくてもよい。むしろ、さらなる層が表層と裏層との間に提供されてもよい。このようなさらなる層は、当業者には知られるものである。
【００１６】
吸収性部材は表層と裏層との間のいずれかの場所に位置し得る。
【００１７】
このような構成であれば、電子的能力が着用可能吸収衛生物品にすでに埋め込まれているため、別体の記録ユニットを着用可能吸収衛生物品に取り付けることは必要とされない。
【００１８】
したがって、このような構成により、使用するのが便利な電子的能力を伴う着用可能吸収衛生物品を提供することが可能である。
【００１９】
一実施形態では、電子ユニットは、着用可能吸収衛生物品に存在する物理的環境を感知するための少なくとも1つのセンサを備える。少なくとも1つのセンサは、好ましくは湿り気センサ、温度センサ、化学センサおよび生物学的センサのうちの少なくとも1つである。
【００２０】
湿り気センサは、液体の存在とレベルとのいずれか一方または両方を検出するように構成され得る。温度センサは、存在する温度を検出するように構成され得る。化学センサは、1つまたは複数の化学物質を検出するように構成され得る。生物学的センサは、尿に存在するバクテリアなど、生物学的物質を検出するように構成され得る。
【００２１】
一実施形態では、電子ユニットは送信機と受信機とのいずれか一方または両方を備える。
【００２２】
一実施形態では、電力源はセルであり、好ましくはペーパーセルである。
【００２３】
このような構成であれば、電力源は、使用者にもたらされる快適性を低減し得る薄い外形を形成できる。
【００２４】
一実施形態では、着用可能吸収衛生物品は第1のパネル領域と第2のパネル領域とを備える。スイッチは、第2のパネル領域に対する第1のパネル領域の移動によりスイッチがオフ状態からオン状態へと切り替わるようにさらに構成される。
【００２５】
本開示を通じて、「パネル領域」という用語は、着用可能吸収衛生物品のパネルの領域を言う。このような「パネル領域」は、表層および裏層の対応する領域を含むパネルの全体領域を言う。
【００２６】
電子ユニットおよび電力源が着用可能吸収衛生物品に含まれるため、着用可能吸収衛生物品の製造/包装の後、電力源は電子ユニットへの電力供給を開始することができる。したがって、電力源は、製造/包装の完了から使用の直前までの期間にわたって電子ユニットに電力供給することになる。この時間の間、着用可能吸収衛生物品および電子ユニットは使用されておらず、そのため、電力源のエネルギーは浪費されている。続いて、着用可能吸収衛生物品が使用されるとき、電力源の容量の大部分がすでに使い果たされている可能性があり、そのため、電子ユニットは、電力源によって電力供給できるのが限られた期間である可能性がある。着用可能吸収衛生物品が使用されていない期間はかなり幅がある可能性があり、数カ月間から数年間までの範囲であり得る。この時間の間、着用可能吸収衛生物品は輸送され、長い期間にわたって保管され得る。電力源の大きさ、および、着用可能吸収衛生物品が最終的にいつ使用されるかに応じて、電力源に蓄えられたエネルギーがまったく残っていないこともあり得る。
【００２７】
このような着用可能吸収衛生物品の使用者は、ある期間にわたって多くの着用可能吸収衛生物品を使用する必要があり得る。したがって、着用可能吸収衛生物品の使用が複雑なステップをまったく含まず、理想的には、典型的な着用可能吸収衛生物品の使用と同じステップを伴うべきであることが望ましく、電子ユニットを伴う着用可能吸収衛生物品を使用する上での何らかの追加的なステップは、製品を使用する利便性を損なう可能性がある。
【００２８】
低コストで環境にやさしく薄い外形で使い捨ての電力源および半導体チップが最近開発されたことによって、着用可能吸収衛生物品には、着用可能吸収衛生物品の2つの層の間に配置される電力源および/または電子ユニットの少なくとも一部分が設けられ得る。このような着用可能吸収衛生物品では、電力源および/または電子ユニットの少なくとも一部分は、電力源および/または電子ユニットへのアクセスが制限されるように、または、可能ではないように、着用可能吸収衛生物品内に組み込まれてもよい。
【００２９】
前述のことに鑑みて、着用可能吸収衛生物品が使用中であるときに電子ユニットがより長い期間にわたって電力供給され得る、使用するのが便利な改善された着用可能吸収衛生物品に対する要求がある。
【００３０】
典型的には、着用可能吸収衛生物品の使用の間、物品は包装から開梱され、および/または折り畳み構成から展開され、および/または、使用者に適用される。前述の構成であれば、開梱する/展開する/適用するステップにおいて、着用可能吸収衛生物品の第1のパネル領域は、着用可能吸収衛生物品の第2のパネル領域に対して移動され、それによってスイッチをオフ状態からオン状態へと自動的に切り替えさせる。
【００３１】
したがって、このような構成であれば、着用可能吸収衛生物品が使用中であるときに電子ユニットがより長い期間にわたって電力供給され得る、使用するのが便利な着用可能吸収衛生物品を提供することが可能である。
【００３２】
一実施形態では、着用可能吸収衛生物品は、第1のパネル領域と第2のパネル領域とが少なくとも部分的に重なるように着用可能吸収衛生物品が折り畳まれる折り畳み構成にある。
【００３３】
典型的には、折り畳み構成では、着用可能吸収衛生物品の少なくとも2つの領域は重なることになる。したがって、このような構成であれば、着用可能吸収衛生物品の適用において必須のステップであり得る着用可能吸収衛生物品を展開すると、スイッチはオフ状態からオン状態へと自動的に切り替わることになる。これは、信頼できる切り替えを提供する。
【００３４】
一実施形態では、着用可能吸収衛生物品は主要部分を備える。第1のパネル領域は主要部分のうちの一領域である。第2のパネル領域は主要部分の別の領域である。
【００３５】
このような構成であれば、主要部分の別の領域に対する主要部分の一領域の移動により、スイッチをオフ状態からオン状態へと切り替えさせることができる。主要部分の別の領域に対する主要部分の一領域の移動は、典型的には、着用可能吸収衛生物品の開梱/展開/適用の間に起こる。したがって、このような構成であれば、電子ユニットへの電力供給を開始するために余分なステップが必要とされない。したがって、このような構成であれば、スイッチは、着用可能吸収衛生物品の開梱/展開/適用の間に、オフ状態からオン状態へと自動的に切り替わることになる。さらに、典型的には、主要部分は、パッドが最も多く入れられた領域であり、そのため、このような構成では、電力源、電子ユニット、およびスイッチは実質的な不快感を使用者にもたらさない。また、電子ユニットは典型的には主要な領域に設けられ、このような構成は、スイッチが電子ユニットの比較的近くに配置されるため、簡素な構成を可能にする。
【００３６】
一実施形態では、着用可能吸収衛生物品は、第1のパネル領域と第2のパネル領域とが着用可能吸収衛生物品の拡張構成時と比べてより互いに近接するように主要部分が収縮される収縮構成にある。
【００３７】
収縮構成では、主要部分は、主要部分の長さに沿って収縮され得る。収縮した主要部分を拡張することが着用可能吸収衛生物品の適用において必須のステップであり得るため、スイッチはオフ状態からオン状態へと自動的に切り替わることになる。これは、信頼できる切り替えを提供する。
【００３８】
一実施形態では、第1のパネル領域と第2のパネル領域とは互いに解放可能に取付可能である。
【００３９】
このような構成であれば、第1のパネル領域を第2のパネル領域に取り付けることで、スイッチをオフ状態からオン状態へと切り替えさせることができる。一領域を別の領域に取り付けることは、典型的には、着用可能吸収衛生物品の適用の間に起こる。したがって、このような構成であれば、電子ユニットへの電力供給を開始するために余分なステップが必要とされない。したがって、このような構成であれば、スイッチは、着用可能吸収衛生物品の適用の間に、オフ状態からオン状態へと自動的に切り替わることになる。さらに、第1のパネル領域を第2のパネル領域に取り付けることは着用可能吸収衛生物品の適用において必須のステップであり得るため、スイッチはオフ状態からオン状態へと自動的に切り替わることになる。これは、信頼できる切り替えを提供する。
【００４０】
一実施形態では、スイッチは、第1のパネル領域と第2のパネル領域とを互いに取り付けることによりスイッチがオフ状態からオン状態へと切り替わるように構成される。
【００４１】
一実施形態では、第1のパネル領域および第2のパネル領域の少なくとも一方はサイドフラップまたはベルトフラップである。
【００４２】
一実施形態では、第1のパネル領域は着用可能吸収衛生物品の主要部分である。第2のパネル領域は着用可能吸収衛生物品の側方部分である。
【００４３】
典型的には、着用可能吸収衛生物品の開梱/展開/適用の間、着用可能吸収衛生物品の側方部分および主要部分は、最も大きい度合いの相対移動を受ける。したがって、このような構成では、スイッチは大きな度合いの変化を受けるように構成され得る。したがって、このような構成であれば、より信頼できる切り替えが可能であり得る。
【００４４】
一実施形態では、着用可能吸収衛生物品は、主要部分と側方部分とが少なくとも部分的に重なるように着用可能吸収衛生物品が折り畳まれる折り畳み構成にある。
【００４５】
このような構成であれば、着用者への着用可能吸収衛生物品の適用を可能にするために、展開する間に使用者は着用可能吸収衛生物品の側方部分と主要部分との間に相対移動をもたらさなければならないことが確保される。したがって、これは信頼できる切り替えを提供する。
【００４６】
一実施形態では、スイッチは、着用可能吸収衛生物品の一部分の屈曲、伸長および圧縮のうちの少なくとも1つによりスイッチがオフ状態からオン状態へと切り替わるように構成される。一部分は、好ましくは着用可能吸収衛生物品の主要部分である。
【００４７】
このような構成であれば、着用可能吸収衛生物品の一部分の屈曲、伸長および圧縮のうちの少なくとも1つは、典型的には、着用可能吸収衛生物品の開梱、展開、適用の間に起こり、信頼できる切り替えを確保することが可能であり得る。
【００４８】
一実施形態では、スイッチは、着用可能吸収衛生物品によって認識された少なくとも1つの物理的特性の変化を検出すると、オフ状態からオン状態へと切り替わるようにさらに構成される。
【００４９】
前述したように、電子ユニットおよび電力源は着用可能吸収衛生物品に含まれるため、着用可能吸収衛生物品が最終的に使用されるときに、電力源に蓄えられたエネルギーがまったく残っていないこともあり得る。
【００５０】
理想的には、電子ユニットを伴う着用可能吸収衛生物品の使用は、典型的な着用可能吸収衛生物品の使用と同じステップを伴うべきであり、電子ユニットを伴う着用可能吸収衛生物品を使用する上での何らかの追加的なステップは、製品を使用する利便性を損なう可能性がある。
【００５１】
前述したように、着用可能吸収衛生物品が使用中であるときに電子ユニットがより長い期間にわたって電力供給され得る、使用するのが便利な改善された着用可能吸収衛生物品に対する要求がある。
【００５２】
この構成であれば、使用者に追加的なステップを一切要求することなく、開梱する/展開する/適用するステップのうちの1つにおいて電子ユニットへの電力供給を自動的に開始することが可能である。
【００５３】
したがって、このような構成であれば、着用可能吸収衛生物品が使用中であるときに電子ユニットがより長い期間にわたって電力供給され得る、使用するのが便利な着用可能吸収衛生物品を提供することが可能である。
【００５４】
典型的には、着用可能吸収衛生物品の開梱/展開/適用の間、着用可能吸収衛生物品によって認識される少なくとも1つの物理的特性が変化する。したがって、上記の構成であれば、スイッチは、このような変化を検出すると、オフ状態からオン状態へと切り替えでき、そのため、スイッチは、開梱する/展開する/適用するステップにおいて切り替わることになる。
【００５５】
一実施形態では、少なくとも1つの物理的特性は、温度、大気圧、応力、導電率および静電容量のうちの少なくとも1つを含む。
【００５６】
一実施形態では、電力源が、少なくとも1つの物理的特性の変化を検出すると、オフ状態からオン状態へと自動的に切り替わるように構成されるように、電力源がスイッチを構成する。
【００５７】
電力源はスイッチを構成し、そのため電力源およびスイッチは単一の実体物部材となる。
【００５８】
このような構成であれば、着用可能吸収衛生物品の複雑性が低減される。
【００５９】
一実施形態では、少なくとも1つの物理的特性は、電力源によって認識される物理的特性である。
【００６０】
一実施形態では、スイッチは少なくとも1つのセンサを備える。好ましくは、少なくとも1つのセンサは、温度センサ、大気圧センサ、応力センサ、導電率センサおよび静電容量センサのうちの少なくとも1つである。
【００６１】
一実施形態では、スイッチはさらに、実体物に解放可能に連結されるように構成され、スイッチを実体物から切り離すことによりスイッチがオフ状態からオン状態へと切り替わるように構成される。
【００６２】
「連結」という用語は、スイッチと実体物との間の物理的な連結を言うとは限らない。例えば、「連結」は、磁気的な連結または光学的な連結を言う可能性がある。
【００６３】
前述したように、電子ユニットおよび電力源は着用可能吸収衛生物品に含まれるため、着用可能吸収衛生物品が最終的に使用されるときに、電力源に蓄えられたエネルギーがまったく残っていないこともあり得る。
【００６４】
理想的には、電子ユニットを伴う着用可能吸収衛生物品の使用は、典型的な着用可能吸収衛生物品の使用と同じステップを伴うべきであり、電子ユニットを伴う着用可能吸収衛生物品を使用する上での何らかの追加的なステップは、製品を使用する利便性を損なう可能性がある。
【００６５】
前述したように、着用可能吸収衛生物品が使用中であるときに電子ユニットがより長い期間にわたって電力供給され得る、使用するのが便利な改善された着用可能吸収衛生物品に対する要求がある。
【００６６】
この構成であれば、着用可能吸収衛生物品のスイッチを実体物から切り離すことは、着用可能吸収衛生物品の使用における必須のステップである可能性があり、そのため、スイッチは使用の間にオフ状態からオン状態へと自動的に切り替わることになる。したがって、使用者に追加的なステップを要求することなく、開梱する/展開する/適用するステップのうちの1つにおいて電子ユニットへの電力供給を自動的に開始することが可能である。
【００６７】
したがって、このような構成であれば、着用可能吸収衛生物品が使用中であるときに電子ユニットがより長い期間にわたり電力供給され得る、使用するのが便利な着用可能吸収衛生物品を提供することが可能である。
【００６８】
一実施形態では、スイッチは、実体物に含まれる磁石の磁場に解放可能に連結されるように構成される磁気スイッチである。磁気スイッチは、磁気スイッチに対する磁石の移動により磁気スイッチがオフ状態からオン状態へと切り替わるように構成される。
【００６９】
このような構成であれば、磁気スイッチは、実質的な不快感を使用者にもたらさず、かつ使用者によってアクセスできないように、着用可能吸収衛生物品に埋め込むことができる。
【００７０】
一実施形態では、磁気スイッチはリードスイッチである。
【００７１】
このような構成であれば、磁気スイッチは、使用者によって出されるあらゆる物質から封止される。
【００７２】
一実施形態では、スイッチは、実体物に含まれるタブによって実体物に解放可能に連結されるように構成される。スイッチは、スイッチをタブから切り離すことによりスイッチがオフ状態からオン状態へと切り替わるように構成される。スイッチはタブスイッチである。
【００７３】
このような構成であれば、タブスイッチからのタブの取り外しは、着用可能吸収衛生物品の物理的な変化に、切り替えを対応させることができ、使用者に切り替えが起こったことが警告され得る。
【００７４】
一実施形態では、スイッチは、実体物に対する着用可能吸収衛生物品の移動によりスイッチがオフ状態からオン状態へと切り替わるように構成される。
【００７５】
第2の態様によれば、第1の態様の着用可能吸収衛生物品と、実体物とを備えるシステムが提供される。
【００７６】
一実施形態では、実体物は、着用可能吸収衛生物品を包装するための包装である。
【００７７】
一実施形態では、着用可能吸収衛生物品は包装に包装される。
【００７８】
一実施形態では、実体物は着用可能吸収衛生物品または第1の態様の着用可能吸収衛生物品である。
【００７９】
このような構成であれば、実体物(包装/別の着用可能吸収衛生物品)から切り離すことは、着用可能吸収衛生物品の適用における必須のステップである可能性があり、そのため、スイッチはオフ状態からオン状態へと自動的に切り替わることになる。これは、信頼できる切り替えを提供する。
【００８０】
第3の態様によれば、着用可能吸収衛生物品を使用する方法が提供される。着用可能吸収衛生物品は、液体浸透性の表層と、裏層と、表層と裏層との間に位置する吸収性部材と、電子ユニットと、電力源と、電子ユニットを電力源に動作可能に連結するスイッチとを備える。スイッチは、スイッチがオン状態にあるときに電力源が電力を電子ユニットに供給するように構成され、かつ、スイッチがオフ状態にあるときに電力源が電力を電子ユニットに供給しないように構成される。電力源と、スイッチと、電子ユニットの少なくとも一部分とが表層と裏層との間に配置される。方法は、着用可能吸収衛生物品を使用するステップを含む。使用するステップでは、スイッチはオフ状態からオン状態へと切り替えられる。
【００８１】
このような方法であれば、使用するのが便利な電子的能力を伴う着用可能吸収衛生物品を提供することが可能である。
【００８２】
さらに、着用可能吸収衛生物品を使用するステップは、着用可能吸収衛生物品の物理的条件の変化、または、着用可能吸収衛生物品を包囲する物理的条件の変化を含み得る。そのため、着用可能吸収衛生物品が使用中であるときに電子ユニットがより長い期間にわたって電力供給され得る着用可能吸収衛生物品を使用する便利な方法を提供することが可能である。
【００８３】
ある実施態様では、着用可能吸収衛生物品を使用するステップは、着用可能吸収衛生物品が包装に包装されている場合、着用可能吸収衛生物品を包装から開梱するステップ、着用可能吸収衛生物品を着用可能吸収衛生物品の折り畳み構成から展開するステップおよび着用可能吸収衛生物品を適用するステップのうちの少なくとも1つを含む。開梱するステップ、展開するステップ、および適用するステップの1つにおいて、スイッチはオフ状態からオン状態へと切り替えられる。
【００８４】
開梱すること/展開することおよび/または適用することは、従来の着用可能吸収衛生物品の使用における典型的なステップである。したがって、このような方法であれば、磁気スイッチは、着用可能吸収衛生物品の開梱/展開/適用の間に、オフ状態からオン状態へと自動的に切り替わることになり、そのため、電子ユニットへの電力供給を開始するために追加のステップが使用者によって必要とされない可能性がある。
【００８５】
ある実施態様では、着用可能吸収衛生物品は第1のパネル領域と第2のパネル領域とを備える。使用するステップにおいて、スイッチは、第1のパネル領域と第2のパネル領域との間の相対移動に起因して、オフ状態からオン状態へと切り替えられる。
【００８６】
ある実施態様では、着用可能吸収衛生物品は第1の態様の着用可能吸収衛生物品である。
【００８７】
ある実施態様では、使用するステップにおいて、スイッチは、着用可能吸収衛生物品によって認識された少なくとも1つの物理的特性の変化を検出すると、オフ状態からオン状態へと切り替えられる。
【００８８】
ある実施態様では、着用可能吸収衛生物品は第1の態様の着用可能吸収衛生物品である。
【００８９】
ある実施態様では、スイッチは、実体物に解放可能に連結され、さらに、スイッチを実体物から切り離すことによりスイッチがオフ状態からオン状態へと切り替わるようにさらに構成される。使用するステップでは、スイッチは実体物から切り離されて、スイッチがオフ状態からオン状態へと切り替えられる。
【００９０】
ある実施態様では、着用可能吸収衛生物品は第1の態様の着用可能吸収衛生物品である。
【００９１】
本発明のより良い理解のために、および、本発明がどのように実行に移され得るかを示すために、ここで添付の図面が単なる例として参照される。
【図面の簡単な説明】
【００９２】
【図１】本発明の第1の実施形態による着用可能吸収衛生物品の図である。
【図２Ａ】着用可能吸収衛生物品の電子ユニット、センサ、電力源、およびスイッチの様々な配列を示す図である。
【図２Ｂ】着用可能吸収衛生物品の電子ユニット、センサ、電力源、およびスイッチの様々な配列を示す図である。
【図２Ｃ】着用可能吸収衛生物品の電子ユニット、センサ、電力源、およびスイッチの様々な配列を示す図である。
【図３】収縮構成にある着用可能吸収衛生物品の実施形態の図である。
【図４】拡張構成にある図3に示した着用可能吸収衛生物品の図である。
【図５】折り畳み構成における着用可能吸収衛生物品の別の実施形態の図である。
【図６】展開構成における図5に示した着用可能吸収衛生物品の図である。
【図７】開いた構成における着用可能吸収衛生物品の別の実施形態の図である。
【図８】閉じた構成における図7に示した着用可能吸収衛生物品の図である。
【図９】着用可能吸収衛生物品の別の実施形態の図である。
【図１０】着用可能吸収衛生物品の別の実施形態の図である。
【図１１】着用可能吸収衛生物品の別の実施形態の図である。
【図１２】包装箱から完全に開梱された図11に示した着用可能吸収衛生物品の図である。
【図１３】着用可能吸収衛生物品の別の実施形態の図である。
【発明を実施するための形態】
【００９３】
図1は、本発明の第1の実施形態による着用可能吸収衛生物品10の図である。
【００９４】
着用可能吸収衛生物品10は、主要部分11と、第1の側方部分12と、第2の側方部分13と、取付部材14とを有する。主要部分11は第1の方向に細長い。第1の側方部分12および第2の側方部分13は、第1の方向に対して垂直な第2の方向に沿って、主要部分11から離れる方に延びている。第1の側方部分12および第2の側方部分13は、主要部分11の正反対の側において主要部分11から離れる方に延びている。取付部材14は両方の側方部分12、13に配置されている。
【００９５】
着用可能吸収衛生物品10は、取付部材14を用いて側方部分12、13を主要部分11に取り付けることで、使用者の腰の周りに着用されるように構成されている。
【００９６】
着用可能吸収衛生物品10は、使用の間に着用者の方を向くように適合され、尿または他の体液などの流体を通過させるように適合された液体浸透性の表層と、着用者から離れる方を向くように適合され、流体が通過するのを防止するように適合された液体不浸透性の裏層と、表層と裏層との間に位置する吸収性部材とを有する(図2A〜図2C参照)。
【００９７】
図1は、展開構成における着用可能吸収衛生物品10を示している。着用可能吸収衛生物品10のこの構成は、着用可能吸収衛生物品10を着用者に適用する前に典型的である。
【００９８】
着用可能吸収衛生物品10は電子ユニット20を有する。電子ユニット20は、着用可能吸収衛生物品10の主要部分11に配置されている。電子ユニット20は様々なタスクを実施するように構成され得る。例えば、電子ユニット20は、着用可能吸収衛生物品10に存在する物理的環境を感知するためのセンサ21を含み得る。センサは、湿り気センサ、温度センサ、化学センサ、または生物学的センサであり得る。電子ユニット20は、様々な異なるタスクを実施するために、様々な方法で構成され得る。
【００９９】
電子ユニット20は、着用可能吸収衛生物品10に存在する物理的環境に関する情報または他の関連する情報を送信するための送信機をさらに含んでもよい。電子ユニット20は、命令などの情報を受信するための受信機をさらに含んでもよい。
【０１００】
着用可能吸収衛生物品10は電力源30を含む。図1に示した着用可能吸収衛生物品10では、電力源30は、着用可能吸収衛生物品10の主要部分11に設けられている。図示しているように、電力源30は電子ユニット20に配置されている。電力源30は、エネルギーの蓄えを電気エネルギーおよび/または化学エネルギーの形態で保持し得る。電力源30は、セル、電池、および/またはコンデンサなどの任意の種類の電力源であり得る。例えば、電力源30は、Blue Spark Technologies (OH, US)、Enfucell Oy (FI)、GS Nanotech (KR)、またはCymbet (MN, US)によって提供されるものなど、柔軟なペーパーセル/電池であり得る。
【０１０１】
着用可能吸収衛生物品10はスイッチ40を有する。図1に示した着用可能吸収衛生物品10では、スイッチ40は、着用可能吸収衛生物品10の主要部分11に設けられている。図示しているように、スイッチ40は電子ユニット20に配置されている。
【０１０２】
スイッチ40は電子ユニット20を電力源30に動作可能に連結している。スイッチ40はオン状態とオフ状態とを有する。スイッチ40は、スイッチ40がオン状態にあるときに電力源30が電力を電子ユニット20に供給するように構成されている。スイッチ40は、スイッチ40がオフ状態にあるときに電力源30が電力を電子ユニット20に供給しないように構成されている。スイッチ40がオフ状態にあるとき、電力源30と電子ユニット20との間の完結した回路は存在しない。このような状態では、電子ユニット20は電力源30によって電力供給されず、そのため、電力源30はそのエネルギーの蓄えをほとんど維持する。
【０１０３】
スイッチ40の様々な実施形態のさらなる詳細が以下に記載される。
【０１０４】
電力源30と、スイッチ40と、電子ユニット20の少なくとも一部分とが表層と裏層との間に配置されている。図2A、図2B、および図2Cは、着用可能吸収衛生物品10のセンサ21、電力源30、およびスイッチ40を備える電子ユニット20の様々な配列を示している。これらの実施形態の各々では、着用可能吸収衛生物品10は、使用中に着用者の方を向くように適合された表層16と、表層16と反対側の裏層15と、裏層15と表層16との間に位置する吸収性部材17とを有する。図2A、図2B、および図2Cは、着用可能吸収衛生物品10の一部分の断面を各々示している。例えば、これらの断面は、着用可能吸収衛生物品10の主要部分11の断面であり得る。
【０１０５】
図2Aは、電力源30と、スイッチ40と、センサ21を備える電子ユニット20の全体とが裏層15と表層16との間に配置されている実施形態を示している。
【０１０６】
図2Bは、電子ユニット20のリード線22が裏層15と表層16との間に配置されていない代替の実施形態を示している。したがって、電子ユニット20の一部分だけが表層16と裏層15との間に配置されている。
【０１０７】
図2Cは、電子ユニット20のセンサ21が裏層15と表層16との間に配置されていない別の実施形態を示している。したがって、電子ユニット20の一部分だけが裏層15と表層16との間に配置されている。
【０１０８】
図3は、着用可能吸収衛生物品10の一実施形態を示している。この実施形態の着用可能吸収衛生物品10は、先の実施形態の着用可能吸収衛生物品10と概して同様である。したがって、この実施形態の特定の違いだけが以下に記載される。
【０１０９】
この実施形態では、スイッチはタブスイッチ40であり、タブ41の遮断によって、タブスイッチ40はオフ状態からオン状態へと切り替えられる。タブスイッチ40は、タブスイッチ40のオフ状態に対応する無傷状態を有する。タブスイッチ40は、タブスイッチ40のオン状態に対応する損傷状態を有する。損傷状態では、タブ41はタブスイッチ40から取り外されている。
【０１１０】
図3は、収縮構成における着用可能吸収衛生物品10を示している。この収縮構成では、着用可能吸収衛生物品10の主要部分11は、第1の方向に沿って収縮されている。この構成では、タブスイッチ40は、タブスイッチ40のオフ状態に対応する無傷状態にある。
【０１１１】
図4は、拡張構成にあるこの実施形態の着用可能吸収衛生物品10を示している。この構成は、使用者が主要部分11を図3に示した構成から着用可能吸収衛生物品10の第1の方向に沿って拡張することから生じ得る。この構成では、主要部分11の前主要パネル領域11aが主要部分11の後主要パネル領域11bから離れる方に移動されている。そのようにするときに、タブスイッチ40は損傷状態へと移行されている。タブスイッチ40は、無傷状態から損傷状態に移行するとタブスイッチ40がオフ状態からオン状態へと切り替えられるように構成されている。したがって、タブスイッチ40は、使用者が着用可能吸収衛生物品10の主要部分11を図3に示した収縮構成から図4に示した拡張構成まで拡張すると、オフ状態からオン状態へと切り替わるように構成されている。
【０１１２】
ここで、この実施形態の着用可能吸収衛生物品10を使用する方法が、図3および図4に関して説明される。概して、着用可能吸収衛生物品10を使用するステップは、着用可能吸収衛生物品10の物理的条件の変化、または、着用可能吸収衛生物品10を包囲する物理的条件の変化を含み得る。この実施形態では、着用可能吸収衛生物品10を使用することは、着用可能吸収衛生物品10を図3に示した収縮構成から図4に示した拡張構成まで拡張することを含む。この拡張するステップの前、タブスイッチ40は、タブスイッチ40がオフ状態にある無傷状態にある。拡張するステップの間、タブスイッチ40は損傷状態へと移行され、電子ユニット20が電力源30によって電力供給されるようにオフ状態からオン状態へと切り替えられる。着用可能吸収衛生物品10は、拡張されると、着用者の腰に適用できる。
【０１１３】
図5は、着用可能吸収衛生物品10の別の実施形態を示している。この実施形態の着用可能吸収衛生物品10は、先の実施形態と概して同様である。したがって、この実施形態の特定の違いだけが以下に記載される。
【０１１４】
図5は、折り畳み構成における着用可能吸収衛生物品10を示している。
【０１１５】
この実施形態では、スイッチは、前述したようにタブスイッチ40である。
【０１１６】
この折り畳み構成では、主要部分11は、主要部分11の前主要パネル領域11aが主要部分11の後主要パネル領域11bと重なるように折り畳まれる。この構成では、タブスイッチ40は、タブスイッチ40のオフ状態に対応する無傷状態にある。
【０１１７】
図6は、展開構成にあるこの実施形態の着用可能吸収衛生物品10を示している。この展開構成は、使用者が着用可能吸収衛生物品10を図5に示した構成から展開することから生じ得る。具体的には、図6では、前主要パネル領域11aと後主要パネル領域11bとは、主要部分11が展開されるように互いから分離されている。そのようにするとき、使用者は、タブスイッチ40を、無傷状態から、タブ41がタブスイッチ40から取り外されている損傷状態へと切り替えている。この損傷状態では、タブスイッチ40はオン状態にある。したがって、タブスイッチ40は、使用者が着用可能吸収衛生物品10の主要部分11を図5に示した折り畳み構成から図6に示した展開構成まで展開するときにオフ状態からオン状態へと切り替わるように構成されている。
【０１１８】
ここで、この実施形態の着用可能吸収衛生物品10を使用する方法が、図5および図6に関して説明される。この実施形態の着用可能吸収衛生物品10を使用することは、着用可能吸収衛生物品10を図5に示した折り畳み構成から図6に示した展開構成まで展開することを含む。この展開するステップの前、タブスイッチ40はオフ状態にある。展開するステップの間、タブスイッチ40は、電子ユニット20が電力源30によって電力供給されるようにオフ状態からオン状態へと切り替えられる。着用可能吸収衛生物品10は、図6に示しているように展開されると、着用者の腰に適用できる。
【０１１９】
図7は、着用可能吸収衛生物品10の別の実施形態を示している。この実施形態の着用可能吸収衛生物品10は、先の実施形態の着用可能吸収衛生物品10と概して同様である。したがって、この実施形態の特定の違いだけが以下に説明される。
【０１２０】
この実施形態では、スイッチ40は磁気スイッチである。この実施形態の着用可能吸収衛生物品10は、磁石50も含んでいる。
【０１２１】
本開示を通じて、「磁石」という用語は、磁場を作り出す任意の装置/材料を言う。
【０１２２】
本開示を通じて、「磁気スイッチ」という用語は、スイッチが受ける磁場に応じて特定の状態になるように構成される任意のスイッチのことを言う。磁気スイッチは、磁気スイッチが受ける磁場が変化するとき、状態同士の間で切り替わることができる。状態同士の間で磁場スイッチを切り替えるために必要とされる磁場の具体的な変化は、磁気スイッチの特定の構成に応じてあらかじめ決定され得る。
【０１２３】
図7は、使用者1の腰に適用される前の開いた構成における着用可能吸収衛生物品10を示している。
【０１２４】
第1の側方パネル部分12は磁気スイッチ40を有する。第2の側方パネル部分13は磁石50を有する。第1の側方パネル部分12と第2の側方パネル部分13とは取付部材14を各々有する。図示した開いた構成において、第1の側方パネル部分12と第2の側方パネル部分13とは互いから分離されている。磁気スイッチ40と磁石50とが互いから相対的に離して配置されるため、この構成では、磁気スイッチ40は第1の磁場を受ける。
【０１２５】
図8は、着用可能吸収衛生物品10が使用者1の腰に適用されている閉じた構成における第3の実施形態の着用可能吸収衛生物品10を示している。この構成は、使用者が第1の側方パネル部分12と第2の側方パネル部分13とを図7に示した構成から互いと接触させる結果生じ得る。そのようにするとき、使用者は、第1の側方パネル部分12の取付部材14と第2の側方パネル部分13の取付部材14とを互いに取り付け、それによって着用可能吸収衛生物品10を使用者1の腰に固定できる。第1の側方パネル部分12と第2の側方パネル部分13とを一体にすることで、磁石50は磁気スイッチ40に向けて移動されることになる。図8に示しているように、閉じた構成では、磁気スイッチ40、および磁石50は互いと重なる。この構成では、磁気スイッチ40は第2の磁場を受ける。具体的には、図8に示した閉じた構成において磁気スイッチ40が受ける磁場は、図7に示した開いた構成において磁気スイッチ40が受ける磁場より大きい。磁気スイッチ40は、磁気スイッチ40が受けるこの磁場の変化により磁気スイッチ40がオフ状態からオン状態へと切り替わるように構成され得る。したがって、磁気スイッチ40は、着用可能吸収衛生物品10を図7に示した開いた構成から図8に示した閉じた構成へと適用する場合に使用者が第1の側方パネル部分12と第2の側方パネル部分13とを一体にするとき、オフ状態からオン状態へと切り替わるように構成されている。
【０１２６】
ここで、第3の実施形態の着用可能吸収衛生物品10を使用する方法が、図7および図8に関して説明される。この実施形態の着用可能吸収衛生物品10を使用することは、着用可能吸収衛生物品10を使用者1に適用することを含む。着用可能吸収衛生物品10を適用することは、側方部分12、13の各々における取付部材14が互いに付着するように第1の側方パネル部分12と第2の側方パネル部分13とを互いと接触させることを含む。これは、図8に示した閉じた構成をもたらすように、図7に示した開いた構成から行われ得る。この適用するステップの前、磁気スイッチ40はオフ状態にある。適用するステップの間、磁気スイッチ40は、電子ユニット20(図7および図8には示していない)が電力源30(図7および図8には示していない)によって電力供給されるようにオフ状態からオン状態へと切り替えられる。
【０１２７】
図9は、着用可能吸収衛生物品10の別の実施形態を示している。この実施形態は、先の実施形態の着用可能吸収衛生物品10と概して同様である。したがって、この実施形態の特定の違いだけが以下に記載される。
【０１２８】
着用可能吸収衛生物品10のスイッチ40は、着用可能吸収衛生物品10によって認識された少なくとも1つの物理的特性の変化を検出すると、オフ状態からオン状態へと切り替わるように構成されている。
【０１２９】
図9に示した実施形態では、スイッチ40は、応力センサによって感知される応力が上昇して所定の閾値を上回るような形で使用者1が着用可能吸収衛生物品10に座るときにオフ状態からオン状態へと切り替わるように構成された応力センサを有する。
【０１３０】
ここで、この実施形態の着用可能吸収衛生物品10を使用する方法が、図9に関して説明される。この実施形態の着用可能吸収衛生物品10を使用することは、着用可能吸収衛生物品10を着用することを含む。典型的には、着用可能吸収衛生物品10の着用の間、使用者1は、着用可能吸収衛生物品10の一部分が圧縮されるような形で腰を下ろす可能性がある。この着用するステップの前、磁気スイッチ40はオフ状態にある。この着用するステップの間、スイッチ40は、電子ユニット20(図9には示していない)が電力源30(図9には示していない)によって電力供給されるようにオフ状態からオン状態へと切り替えられる。
【０１３１】
図10は、着用可能吸収衛生物品10の別の実施形態を示している。この実施形態は、先の実施形態の着用可能吸収衛生物品10と概して同様である。したがって、この実施形態の特定の違いだけが以下に記載される。
【０１３２】
図10に示した実施形態では、電力源30は、電力源30が少なくとも1つの物理的特性の変化を認識するとオフ状態からオン状態へと切り替わるように構成されるように、スイッチを構成している。具体的には、電力源30とスイッチとは単一の実体物/部材である。
【０１３３】
図10は、着用可能吸収衛生物品10が包装バッグ70から取り外されている構成を示している。この構成の前には、着用可能吸収衛生物品10は包装バッグ70内に真空で収容されている。したがって、着用可能吸収衛生物品10、具体的には電力源30は、非常に小さい圧力/ゼロの圧力を受ける。
【０１３４】
図10に示した構成では、着用可能吸収衛生物品10は包装バッグ70から取り外されており、そのため、着用可能吸収衛生物品10、具体的には電力源30は、ゼロでない圧力(大気圧)を受ける。
【０１３５】
電力源30は、この圧力の変化の結果電力源30がオフ状態からオン状態へと切り替えられるように構成されている。例えば、電力源30は亜鉛空気電池であり得る。
【０１３６】
ここで、この実施形態の着用可能吸収衛生物品10を使用する方法が、図10に関して説明される。この実施形態の着用可能吸収衛生物品10を使用することは、着用可能吸収衛生物品10を包装バッグ70から開梱することを含む。着用可能吸収衛生物品10を包装バッグ70から開梱することは、図10の矢印によって示しているように、着用可能吸収衛生物品10を包装バッグ70から取り外すことを含む。この開梱するステップの前、電力源30はオフ状態にある。開梱するステップの間、電力源30は、電子ユニット20(図10には示していない)が電力源30(図10には示していない)によって電力供給されるようにオフ状態からオン状態へと切り替えられる。着用可能吸収衛生物品10は、開梱されると、着用者の腰に適用できる。
【０１３７】
図11は、着用可能吸収衛生物品10の別の実施形態を示している。この実施形態の着用可能吸収衛生物品10は、先の実施形態の着用可能吸収衛生物品10と概して同様である。したがって、この実施形態の特定の違いだけが以下に記載される。
【０１３８】
この実施形態では、スイッチは、前述したようにタブスイッチ40である。
【０１３９】
着用可能吸収衛生物品10のスイッチ40は、タブ41によって包装箱60に解放可能に連結されており、包装箱60からのスイッチ40の連結解除がスイッチ40をオフ状態からオン状態へと切り替えるように構成されている。タブ41は包装箱60に固定されている。
【０１４０】
図11は、着用可能吸収衛生物品10のタブスイッチ40がタブ41によって包装箱60に連結されている構成を示している。図11は、着用可能吸収衛生物品10が矢印によって示された方向に移動することによって包装箱60から開梱されつつある状態を示している。この状態において、タブスイッチ40は、スイッチ40がオフ状態にある無傷状態にある。
【０１４１】
図12は、包装箱60から完全に開梱された着用可能吸収衛生物品10を示している。スイッチ40は、スイッチ40がオン状態にある損傷状態にある。
【０１４２】
ここで、この実施形態の着用可能吸収衛生物品10を使用する方法が、図11および図12に関して説明される。この実施形態の着用可能吸収衛生物品10を使用することは、着用可能吸収衛生物品10を包装箱60から開梱することを含む。着用可能吸収衛生物品10を包装箱60から開梱することは、図11の矢印によって示しているように、着用可能吸収衛生物品10を包装箱60から離す方に移動することを含む。この開梱するステップの前、磁気スイッチ40はオフ状態にある。開梱するステップの間、スイッチは、電子ユニット20(図11および図12には示していない)が電力源30(図11および図12には示していない)によって電力供給されるようにオフ状態からオン状態へと切り替えられる。着用可能吸収衛生物品は、開梱されると、着用者の腰に適用できる。
【０１４３】
図13は、着用可能吸収衛生物品10の別の実施形態を示している。図13に示しているように、3つの着用可能吸収衛生物品10がある。
【０１４４】
この実施形態では、スイッチは、前述したようにタブスイッチ40である。
【０１４５】
着用可能吸収衛生物品10の各々は、タブ41によって別の着用可能吸収衛生物品10に連結されたタブスイッチ40を有する。この実施形態は、図11および図12に関して記載されている実施形態と同様である。ある着用可能吸収衛生物品10のタブスイッチ40が、他の着用可能吸収衛生物品10から離す方に、着用可能吸収衛生物品10の移動によって損傷状態へと移行されるとき、スイッチ40はオフ状態からオン状態へと切り替えられる。
【０１４６】
前述の説明は、本発明が当業者によってどのように平易に実行できるかを十分に明確にすると考えられるが、純粋に例示として解釈されるものである。
【０１４７】
具体的には、当業者によって理解され得るように、数多くの可能な変形がある。例えば、電力源30、スイッチ40、および電子ユニット20の少なくとも一部分は、それらが表層16と裏層15との間に配置される限り、着用可能吸収衛生物品10内の様々な場所に配置できる。
【０１４８】
さらに、スイッチ40は、任意の手段によってオフ状態からオン状態へと切り替えできる任意の種類のスイッチであり得る。例えば、スイッチ40は磁気スイッチ、タブスイッチ、または光学スイッチであり得る。さらに、スイッチ40は、着用可能吸収衛生物品10内の様々な場所に配置され得る。
【０１４９】
さらに、スイッチは、少なくとも1つの物理的特性の変化を検出すると、オフ状態からオン状態へと切り替わるように構成されてもよく、物理的特性は、室温、体温、体重、絶縁、および/または静電容量である。
【０１５０】
図11〜図13に示した実施形態の代替の実施形態では、着用可能吸収衛生物品10は、使用前に収容され得る包装バッグに連結されてもよい。
【０１５１】
上記のすべてが、本発明の範囲内に完全にあり、先に開示した特定の組み合わせに限定されることなく、前述の特徴の1つまたは複数の組み合わせが適用される代替の実施形態のための根拠を形成すると考えられる。
【０１５２】
これに鑑みて、本発明の教示を実施する多くの代替があることになる。当業者が、当業者のこの技術における一般的な知識に鑑みて、上記の開示から開示または導出のいずれかがされる上記の開示の一部または全部の技術的効果を保持しつつ、本発明の範囲内で上記の開示の状況および要件に合わせるために上記の開示を変更および適合できることが予想されている。すべてのこのような等価、変形、または適合は、ここで定義および請求されている本発明の範囲内に入る。
【符号の説明】
【０１５３】
1  使用者
10  着用可能吸収衛生物品
11  主要部分
11a  前主要パネル領域
11b  後主要パネル領域
12  第1の側方部分、第1の側方パネル部分
13  第2の側方部分、第2の側方パネル部分
14  取付部材
15  裏層
16  表層
17  吸収性部材
20  電子ユニット
21  センサ
22  リード線
30  電力源
40  スイッチ、タブスイッチ、磁気スイッチ
41  タブ
50  磁石
60  包装箱
70  包装バッグ
【図１】
0006703105.tif 000002
【図２Ａ】
0006703105.tif 000003
【図２Ｂ】
0006703105.tif 000004
【図２Ｃ】
0006703105.tif 000005
【図３】
0006703105.tif 000006
【図４】
0006703105.tif 000007
【図５】
0006703105.tif 000008
【図６】
0006703105.tif 000009
【図７】
0006703105.tif 000010
【図８】
0006703105.tif 000011
【図９】
0006703105.tif 000012
【図１０】
0006703105.tif 000013
【図１１】
0006703105.tif 000014
【図１２】
0006703105.tif 000015
【図１３】
0006703105.tif 000016